(57)【要約】【課題】股下領域に配された吸収体上に皺を発生し難くすると共に、一対のレッグ開口部における良好なフィット性を維持すること。【解決手段】おむつ１の展開且つ伸長状態において、一対のレッグ開口部８，８それぞれの開口周縁部に沿って配された腹側レッグ弾性部材８１ａ及び背側レッグ弾性部材８１ｂにより一対のレッグギャザー８０，８０が形成されている。腹側レッグ弾性部材８１ａと背側レッグ弾性部材８１ｂとは、股下領域Ｃの中央部において、おむつ１を縦方向Ｘに二分する横中心線Ｙｃよりも腹側領域Ａ側で交差しており、交差している部分よりも横方向Ｙの内方で接着剤により外装体１０に固定されている。股下領域Ｃの中央部において、背側レッグ弾性部材８１ｂと吸収体４の縦方向Ｘに沿う両側縁４６，４６それぞれとのなす角αが、３０度以上９０度以下となるように背側レッグ弾性部材８１ｂが配されている。【選択図】図２
2018079058.tif 000002
【特許請求の範囲】
【請求項１】
着用者の前後方向に相当する縦方向とこれに直交する横方向とを有し、該着用者の腹側に配される腹側領域、股間部に配される股下領域及び背側に配される背側領域に亘る外装体と、該外装体の肌対向面側に固定された吸収体を有する吸収性本体とを備え、前記腹側領域における前記外装体の両側縁部と前記背側領域における前記外装体の両側縁部とが接合されて、一対のサイドシール部、ウエスト開口部及び一対のレッグ開口部が形成されているパンツ型使い捨ておむつであって、
前記一対のレッグ開口部それぞれの開口周縁部に沿って配された腹側レッグ弾性部材及び背側レッグ弾性部材により一対のレッグギャザーが形成されており、
前記パンツ型使い捨ておむつの展開且つ伸長状態において、
前記腹側レッグ弾性部材は、前記外装体における前記腹側領域側から一方の前記レッグ開口部に沿って伸長状態で配され且つ前記股下領域の縦方向の中央部にて横方向の内方に向かって伸長状態で配され、更に、該外装体における前記腹側領域側から他方の前記レッグ開口部に沿って伸長状態で配され且つ該股下領域の該中央部にて横方向の内方に向かって伸長状態で配されており、
前記背側レッグ弾性部材は、前記外装体における前記背側領域側から一方の前記レッグ開口部に沿って伸長状態で配され且つ前記股下領域の前記中央部にて横方向の内方に向かって伸長状態で配され、更に、該外装体における前記背側領域側から他方の前記レッグ開口部に沿って伸長状態で配され且つ該股下領域の該中央部にて横方向の内方に向かって伸長状態で配されており、
前記腹側レッグ弾性部材と前記背側レッグ弾性部材とは、前記股下領域の前記中央部において、前記パンツ型使い捨ておむつを縦方向に二分する横方向に延びる横中心線よりも前記腹側領域側で交差しており、交差している部分から横方向の内方で接着剤により前記外装体に固定されており、
前記股下領域の前記中央部において、前記背側レッグ弾性部材と前記吸収体の縦方向に沿う両側縁それぞれとのなす角が、３０度以上９０度以下である、パンツ型使い捨ておむつ。
【請求項２】
前記パンツ型使い捨ておむつの展開且つ伸長状態において、
前記外装体の前記股下領域は、前記腹側レッグ弾性部材と前記背側レッグ弾性部材とが交差している部分どうしの間に、該腹側レッグ弾性部材及び該背側レッグ弾性部材が収縮力を発現する状態では配されていない部分を有する、請求項１に記載のパンツ型使い捨ておむつ。
【請求項３】
前記パンツ型使い捨ておむつの展開且つ伸長状態において、
前記腹側レッグ弾性部材と前記吸収体の縦方向に沿う両側縁それぞれとのなす角度が、４０度以上９０度以下である、請求項１又は２に記載のパンツ型使い捨ておむつ。
【請求項４】
前記腹側レッグ弾性部材及び前記背側レッグ弾性部材は、その太さが３１０ｄｔｅｘ以上６２０ｄｔｅｘ以下である、請求項１〜３の何れか１項に記載のパンツ型使い捨ておむつ。
【請求項５】
前記吸収体は、上部吸収層と、該上部吸収層よりも横方向に長い下部吸収層とを有する２層構造に形成されており、
前記下部吸収層は、該下部吸収層を貫通する側部非積繊部を有し、
前記側部非積繊部は、前記下部吸収層の横方向における両側部それぞれに形成されている、請求項１〜４の何れか１項に記載のパンツ型使い捨ておむつ。
【請求項６】
前記パンツ型使い捨ておむつの展開且つ伸長状態において、
前記腹側レッグ弾性部材及び前記背側レッグ弾性部材は、前記交差している部分から横方向の内方に、前記下部吸収層の各前記側部非積繊部と重なる位置まで延出している、請求項５に記載のパンツ型使い捨ておむつ。
【発明の詳細な説明】
【技術分野】
【０００１】
本発明は、パンツ型使い捨ておむつに関する。
【背景技術】
【０００２】
従来、着用者の腹側に配される腹側領域、着用者の股間部に配される股下領域及び着用者の背側に配される背側領域に亘る砂時計状の外装体と、該外装体の内面側に固定された吸収性本体とを備え、腹側部における外装体の両側縁部と背側部における外装体の両側縁部とが接合されて、一対のサイドシール部、ウエスト開口部及び一対のレッグ開口部が形成されているパンツ型使い捨ておむつが知られている。
【０００３】
このようなパンツ型使い捨ておむつにおいては、外装体の腹側領域、背側領域及び股下領域に弾性部材を伸長状態で固定してギャザーを形成し、身体へのフィット性を向上させている。例えば、一対のレッグ開口部の各開口周縁部に沿って各レッグ弾性部材を配し、該レッグ弾性部材を伸長状態で固定することで一対のレッグギャザーを形成して着両者の脚回りのフィット性を向上させている（例えば、特許文献１参照）。
【先行技術文献】
【特許文献】
【０００４】
【特許文献１】特開２０１０−１９４２５７号公報
【発明の概要】
【発明が解決しようとする課題】
【０００５】
しかし、特許文献１に記載のパンツ型使い捨ておむつは、一対のレッグ開口部の各開口周縁部に沿って各レッグ弾性部材を配することから、該レッグ弾性部材の縦方向の収縮力により、股下部に配される吸収体に横方向の皺が発生してしまう。吸収体に横方向の皺が発生すると、吸収体の厚みや吸収体に触れたときの硬さを増加させたり、外観の悪化等を引き起こしたりしてしまう。
【０００６】
したがって本発明の課題は、前述した従来技術が有する欠点を解消し得るパンツ型使い捨ておむつを提供することにある。
【課題を解決するための手段】
【０００７】
本発明は、着用者の前後方向に相当する縦方向とこれに直交する横方向とを有し、該着用者の腹側に配される腹側領域、股間部に配される股下領域及び背側に配される背側領域に亘る外装体と、該外装体の肌対向面側に固定された吸収体を有する吸収性本体とを備え、前記腹側領域における前記外装体の両側縁部と前記背側領域における前記外装体の両側縁部とが接合されて、一対のサイドシール部、ウエスト開口部及び一対のレッグ開口部が形成されているパンツ型使い捨ておむつであって、前記一対のレッグ開口部それぞれの開口周縁部に沿って配された腹側レッグ弾性部材及び背側レッグ弾性部材により一対のレッグギャザーが形成されており、前記パンツ型使い捨ておむつの展開且つ伸長状態において、前記腹側レッグ弾性部材は、前記外装体における前記腹側領域側から一方の前記レッグ開口部に沿って伸長状態で配され且つ前記股下領域の縦方向の中央部にて横方向の内方に向かって伸長状態で配され、更に、該外装体における前記腹側領域側から他方の前記レッグ開口部に沿って伸長状態で配され且つ該股下領域の該中央部にて横方向の内方に向かって伸長状態で配されており、前記背側レッグ弾性部材は、前記外装体における前記背側領域側から一方の前記レッグ開口部に沿って伸長状態で配され且つ前記股下領域の前記中央部にて横方向の内方に向かって伸長状態で配され、更に、該外装体における前記背側領域側から他方の前記レッグ開口部に沿って伸長状態で配され且つ該股下領域の該中央部にて横方向の内方に向かって伸長状態で配されており、前記腹側レッグ弾性部材と前記背側レッグ弾性部材とは、前記股下領域の前記中央部において、前記使い捨ておむつを縦方向に二分する横方向に延びる横中心線から前記腹側領域側で交差しており、交差している部分から横方向の内方で接着剤により前記外装体に固定されており、前記股下領域の前記中央部において、前記背側レッグ弾性部材と前記吸収体の縦方向に沿う両側縁それぞれとのなす角が、３０度以上９０度以下である、パンツ型使い捨ておむつを提供するものである。
【発明の効果】
【０００８】
本発明のパンツ型使い捨ておむつによれば、股下領域に配された吸収体上に皺を発生し難くすると共に、良好なフィット性を維持することができる。
【図面の簡単な説明】
【０００９】
【図１】図１は、本発明の好ましい一実施形態である使い捨ておむつを示す斜視図である。
【図２】図２は、図１に示す使い捨ておむつの展開且つ伸長状態を肌対向面側から視た平面図である。
【図３】図３（ａ）は、背側レッグ弾性部材と吸収体の縦方向に沿う側縁とのなす角度を示す図であり、図３（ｂ）は、腹側レッグ弾性部材と吸収体の縦方向に沿う側縁とのなす角度を示す図である。
【図４】図４は、図２のＩＶ−ＩＶ線断面図である。
【発明を実施するための形態】
【００１０】
以下、本発明のパンツ型使い捨ておむつを、その好ましい実施形態に基づき図面を参照しながら説明する。
本発明の一実施形態であるパンツ型使い捨ておむつ１（以下、おむつ１ともいう）は、図１及び図２に示すように、着用者の前後方向に相当する縦方向Ｘとこれに直交する横方向Ｙとを有し、該着用者の腹側に配される腹側領域Ａ、股間部に配される股下領域Ｃ及び背側に配される背側領域Ｂに亘る外装体１０と、該外装体１０の肌対向面側に固定された吸収体４を有する吸収性本体５とを備えている。またおむつ１には、腹側領域Ａにおける外装体１０の両側縁部ＡＳ，ＡＳと背側領域Ｂにおける外装体１０の両側縁部ＢＳ，ＢＳとが接合されて、一対のサイドシール部Ｓ，Ｓ、ウエスト開口部７及び一対のレッグ開口部８，８が形成されている。
【００１１】
おむつ１の縦方向（図２中Ｘ方向）は、図１及び図２に示すように、腹側領域Ａから股下領域Ｃを経て背側領域Ｂに亘る方向又はその逆方向であり、おむつ１の横方向（図２中Ｙ方向）は、一方のサイドシール部Ｓから他方のサイドシール部Ｓに亘る方向又はその逆方向である。またおむつ１の腹側領域Ａ及び背側領域Ｂは、図１及び図２に示すように、該おむつ１の横方向（図２中Ｙ方向）の両端に一対のサイドシール部Ｓ，Ｓを有する部分であり、股下領域Ｃは、おむつ１の展開且つ伸長状態において、腹側領域Ａと背側領域Ｂとの間に位置する部分である。更に本明細書において「おむつ１の展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に拡げたときの寸法と同じ）となるまで拡げた状態をいう。
【００１２】
外装体１０は、おむつ１では、図１及び図２に示すように、おむつ１の最外表面となる外層シート１１と、外層シート１１の内面側に配されている内層シート１２と、これら両シート間１１，１２に伸長状態で固定された弾性部材とを備えている。外装体１０は、吸収性本体５の外方全域に亘って延出しており、縦方向Ｘに沿う両側縁に、縦方向Ｘの中央部において横方向Ｙの内方に括れた括れ部１０ｄ，１０ｄを有している。これら括れ部１０ｄ，１０ｄは、外装体１０の腹側領域Ａの両側縁部ＡＳ，ＡＳと背側領域Ｂの両側縁部ＢＳ，ＢＳとを互いに重ね合わせて接合した際に、一対のレッグ開口部８，８となる部分である。弾性部材は、伸長状態で外装体１０に固定されることでギャザーを形成する。尚、外装体１０の備える弾性部材については後に詳述する。
【００１３】
吸収性本体５は、おむつ１では、図２に示すように、液透過性の表面シート２と、液不透過性又は撥水性の裏面シート３と、これらの間に配された縦長の吸収体４とを備えている。吸収体４は、縦方向Ｘに長い吸収性コア４０をコアラップシート４５で被覆して構成されている。
【００１４】
吸収性コア４０は、おむつ１では、図２に示すおむつ１の展開且つ伸長状態において、股下領域Ｃにおける横方向Ｙの中央部に縦方向Ｘに延在する高坪量部４１と、該高坪量部４１の縦方向Ｘに沿う両側の外方に配され該高坪量部４１よりも低坪量の一対の低坪量部４２，４２とを有している。また吸収性コア４０は、図４に示すように、上部吸収層４１１と、上部吸収層４１１よりも縦方向Ｘ及び横方向Ｙの長さが長い下部吸収層４１２とを有する２層構造に形成されている。吸収性コア４０では、下部吸収層４１２の肌対向面上に上部吸収層４１１が積層されて下部吸収層４１２及び上部吸収層４１１が重なる部分が高坪量部４１であり、下部吸収層４１２の肌対向面上に上部吸収層４１１が積層されておらず下部吸収層４１２のみの部分が低坪量部４２となっている。
【００１５】
上部吸収層４１１は、おむつ１では、図２に示すおむつ１の展開且つ伸長状態において、おむつ１の股下領域Ｃから腹側領域Ａに亘って配されており、背側領域Ｂには配されていない。上部吸収層４１１は、股下領域Ｃの縦方向Ｘの中央部付近から腹側領域Ａに向かって幅が増大（漸増）しており、股下領域Ｃよりも腹側領域Ａ側の方が幅広の平面視略Ｔ字状に形成されている。上部吸収層４１１の腹側領域Ａ側の先端部は、腹側領域Ａにおける後述する胴回り部Ｄまで延出している。下部吸収層４１２は、腹側領域Ａから股下領域Ｃを通って背側領域Ｂに亘って配されており、縦方向Ｘに長い矩形状に形成されている。下部吸収層４１２は、縦方向Ｘの両端部それぞれが腹側領域Ａ及び背側領域Ｂそれぞれの後述する胴回り部Ｄ間に亘っている。
【００１６】
下部吸収層４１２は、おむつ１では、図２に示すおむつ１の展開且つ伸長状態において、該下部吸収層４１２を貫通する側部非積繊部４４を有している。側部非積繊部４４は、下部吸収層４１２の横方向Ｙにおける両側部それぞれに形成されている。言い換えれば、側部非積繊部４４は、下部吸収層４１２の縦方向Ｘに沿う両側部それぞれに形成されている。即ち、おむつ１では、下部吸収層４１２に一対の側部非積繊部が形成されている。一対の側部非積繊部４４，４４は、下部吸収層４１２の肌対向面上に上部吸収層４１１が積層されておらず下部吸収層４１２のみの部分に形成されている。詳述すると、一対の側部非積繊部４４，４４は、上部吸収層４１１の縦方向Ｘに沿う両側縁に沿って該両側縁から横方向の外方の下部吸収層４１２に縦方向Ｘに延びて形成されている。下部吸収層４１２に一対の側部非積繊部４４，４４を設けることで、横方向Ｙの外方から内方に向かって股下領域Ｃに応力が発生した場合に、下部吸収層４１２の縦方向Ｘに沿う両側部の屈曲性を高めることができる。
【００１７】
また一対の側部非積繊部４４，４４は、図２に示すおむつ１の展開且つ伸長状態において、腹側領域Ａ側の一対のサイドシール部Ｓ，Ｓの股下領域Ｃ側の内方端Ｓａ，Ｓａどうしを結んだ仮想腹側内方線Ｙａと、背側領域Ｂ側の一対のサイドシール部Ｓ，Ｓの股下領域Ｃ側の内方端Ｓｂ，Ｓｂどうしを結んだ仮想背側内方線Ｙｂとの間で縦方向Ｘに延びて配されている。一対の側部非積繊部４４，４４は、おむつ１を横方向Ｙに二分する縦方向Ｘに延びる縦中心線Ｘｃに対して線対称に配されており、おむつ１の展開且つ伸長状態において、おむつ１の縦方向Ｘの略中央部に後述する横中心線Ｙｃに跨って設けられることが好ましい。
【００１８】
尚、吸収性コア４０の横方向Ｙの屈曲性を高める観点から、一対の側部非積繊部４４，４４は、おむつ１では、図４に示すように、吸収性コア４０を厚さ方向に貫通しており、吸収性コア４０を形成する材料（コア形成材料）が存在しない部分としたが、例えば、低坪量部４２より少ない量のコア形成材料が２０ｇ／ｍ2程度に若干存在している場合も、同様な効果を奏しうることから非積繊部に含めることができる。但し、該側部非積繊部に存するコア形成材料の坪量は５０ｇ／ｍ2以下であることが好ましい。
【００１９】
吸収性コア４０は、おむつ１では、図４に示すように、上部吸収層４１１及び下部吸収層４１２の全体がコアラップシート４５で被覆されている。コアラップシート４５としては、各種公知のものを用いることができ、例えばティッシュペーパのような薄紙や透水性の不織布等が好ましく用いられる。吸収性コア４０は、上部吸収層４１１と下部吸収層４１２とを、それぞれ別々にコアラップシート４５で被覆した後、両者を積層したものであっても良い。この場合、上部吸収層４１１を被覆するコアラップシート４５と下部吸収層４１２を被覆するコアラップシート４５との間は接着しても接着しなくても良い。
【００２０】
吸収性本体５の両側には、おむつ１では、図２に示すおむつ１の展開且つ伸長状態において、一対の防漏カフ５５，５５が形成されている。各防漏カフ５５は、吸収性本体５に接合された防漏カフ形成用シート５６、該防漏カフ形成用シート５６の自由端近傍に伸長状態で固定された防漏カフ形成用の弾性部材５７、及び各防漏カフ５５の固定端と自由端との間に伸長状態で固定された防漏カフ中間弾性部材５８を備えている。図４に示す例では、防漏カフ形成用シート５６として、所定幅の帯状の撥水性シートの１枚を、その長手方向に沿って二つ折りして、相対向する層間をホットメルト型接着剤又は部分的な熱シール若しくは超音波シール等で接合した２層構造のシートを用いている。前述した弾性部材５７及び防漏カフ中間弾性部材５８は、この２層構造シートの層間に伸長状態で固定されている。
【００２１】
吸収体４を覆う表面シート２は、図４に示すように、吸収体４の縦方向Ｘに沿う両側部にて外装体１０側（非肌対向面側）に巻き下げられており、巻き下げられた部分で吸収体４の縦方向Ｘに沿う両側部を被覆している。吸収体４の縦方向Ｘに沿う両側部を巻き下げて被覆することで、吸収体４の該両側部の肌対向面側への良好な起立性が得られる。尚、起立性とは、起立し易さを意味する。表面シート２は、おむつ１では、吸収体４の両側部にて巻き下げられた縦方向Ｘに沿う両側端部２１，２１が吸収体４の非肌対向面側において、裏面シート３及び防漏カフ形成用シート５６にヒートシール、接着材等の接合手段により接合され固定されている。
【００２２】
吸収性本体５を固定する外装体１０は、上述したように、図２に示すおむつ１の展開且つ伸長状態において、腹側領域Ａ、股下領域Ｃ及び背側領域Ｂに亘っている。外装体１０は、外層シート１１、内層シート１２及び各領域でギャザーを形成する１本又は複数本（本実施形態では複数本）の弾性部材を有している。以下、外装体１０が有する弾性部材について説明する。
【００２３】
外装体１０は、おむつ１では、図１に示すように、ウエスト開口部７に沿って配された１本又は複数本（本実施形態では複数本）のウエスト弾性部材７１を備えており、該ウエスト弾性部材７１によりウエストギャザー７０が形成されている。ウエスト弾性部材７１は、図２に示すおむつ１の展開且つ伸長状態において、腹側領域Ａ及び背側領域Ｂそれぞれの一方のサイドシール部Ｓから他方のサイドシール部Ｓに亘って横方向Ｙに伸長状態で外装体１０に固定されている。そして、腹側領域Ａ及び背側領域Ｂそれぞれの一方のサイドシール部Ｓと他方のサイドシール部Ｓとを接合することで、図１に示すように、ウエスト開口部７の全周に亘って実質的に連続した環状のウエストギャザー７０が形成されている。ウエスト弾性部材７１は、糸状又は帯状であり、外装体１０を構成する外層シート１１と内層シート１２との間に伸長状態でホットメルト型接着剤等の任意の接合手段により固定されている。またウエスト弾性部材７１は、おむつ１では、縦方向Ｘに等間隔を空けて配されている。
【００２４】
また外装体１０は、おむつ１では、図２に示すおむつ１の展開且つ伸長状態において、腹側領域Ａのウエストギャザー７０の股下領域Ｃ側の下端と仮想腹側内方線Ｙａとの間、及び背側領域Ｂのウエストギャザー７０の股下領域Ｃ側の下端と仮想背側内方線Ｙｂとの間それぞれの胴回り部Ｄに配された１本又は複数本（本実施形態では複数本）の胴回り弾性部材９１を備えており、該胴回り弾性部材９１により、胴回りギャザー９０が形成されている。胴回り弾性部材９１は、腹側領域Ａ及び背側領域Ｂそれぞれの胴回り部Ｄにおいて横方向Ｙに伸長状態で外装体１０に固定されている。また胴回り弾性部材９１は、吸収性本体５と重なる外装体１０の部分において個々複数に分断されており、収縮力を発現しない状態になっている。その為、外装体１０には、腹側領域Ａ及び背側領域Ｂそれぞれの胴回り部Ｄにおける吸収性本体５と重なる部分においては胴回りギャザー９０が形成されない。これにより、胴回りギャザー９０は、図１に示すように、吸収性本体５と重なる外装体１０の部分において横方向Ｙに複数に分割された状態となっている。胴回り弾性部材９１は、糸状又は帯状であり、外装体１０を構成する外層シート１１と内層シート１２との間に伸長状態でホットメルト型接着剤等の任意の接合手段により固定されている。また胴回り弾性部材９１は、おむつ１では、縦方向Ｘに等間隔を空けて配されている。
【００２５】
また外装体１０は、おむつ１では、図１に示すように、一対のレッグ開口部８，８それぞれの開口周縁部に沿って配された１本又は複数本（本実施形態では３本）の腹側レッグ弾性部材８１ａ及び背側レッグ弾性部材８１ｂを備えており、外装体１０の一対のレッグ開口部８，８それぞれの開口周縁部には、該腹側レッグ弾性部材８１ａ及び該背側レッグ弾性部材８１ｂにより一対のレッグギャザー８０，８０が形成されている。
【００２６】
腹側レッグ弾性部材８１ａは、おむつ１では、図２に示すおむつ１の展開且つ伸長状態において、外装体１０における腹側領域Ａ側から一方のレッグ開口部８に沿って伸長状態で配され且つ股下領域Ｃの縦方向Ｘの中央部にて横方向Ｙの内方に向かって伸長状態で配され、更に、該外装体１０における腹側領域Ａ側から他方のレッグ開口部８に沿って伸長状態で配され且つ該股下領域Ｃの該中央部にて横方向Ｙの内方に向かって伸長状態で配されている。
腹側レッグ弾性部材８１ａの横方向Ｙの内方に向かって伸長状態で配されている部分は、股下領域Ｃにおける縦方向Ｘの中央部において、横中心線Ｙｃと仮想腹側内方線Ｙａとの間で横中心線Ｙｃ寄りを通って横方向Ｙの内方に延びて吸収性本体５と重なるように配されている。
【００２７】
背側レッグ弾性部材８１ｂは、おむつ１では、図２に示すおむつ１の展開且つ伸長状態において、外装体１０における背側領域Ｂ側から一方のレッグ開口部８に沿って伸長状態で配され且つ股下領域Ｃの中央部にて横方向Ｙの内方に向かって伸長状態で配され、更に、該外装体１０における背側領域Ｂ側から他方のレッグ開口部８に沿って伸長状態で配され且つ該股下領域Ｃの該中央部にて横方向Ｙの内方に向かって伸長状態で配されている。
背側レッグ弾性部材８１ｂの横方向Ｙの内方に向かって伸長状態で配されている部分は、股下領域Ｃにおける縦方向Ｘの中央部において、横中心線Ｙｃと仮想腹側内方線Ｙａとの間で横中心線Ｙｃ寄りを通って横方向Ｙの内方に延びて吸収性本体５と重なっている。
【００２８】
腹側レッグ弾性部材８１ａと背側レッグ弾性部材８１ｂとは、おむつ１では、図２に示すおむつ１の展開且つ伸長状態において、股下領域Ｃの中央部において、おむつ１を縦方向Ｘに二分する横方向Ｙに延びる横中心線Ｙｃよりも腹側領域Ａ側で交差しており、交差している部分を含んで、該交差している部分から横方向Ｙの内方で接着剤により外装体１０に固定されている。
【００２９】
腹側レッグ弾性部材８１ａについて詳述すると、該腹側レッグ弾性部材８１ａは、おむつ１では、図２に示すおむつ１の展開且つ伸長状態において、腹側領域Ａの一方の側縁部ＡＳでホットメルト型接着剤により外装体１０に固定されている。そして、該一方の側縁部ＡＳから一方のレッグ開口部８の開口周縁部に沿って伸長状態で配され、股下領域Ｃの縦方向Ｘの中央部においてホットメルト型接着剤により外装体１０に固定されている。同様に、腹側レッグ弾性部材８１ａは、腹側領域Ａの他方の側縁部ＡＳでホットメルト型接着剤により外装体１０に接合されている。そして、該他方の側縁部ＡＳから他方のレッグ開口部８の開口周縁部に沿って伸長状態で配され、股下領域Ｃの縦方向Ｘの中央部においてホットメルト型接着剤により外装体１０に固定されている。腹側レッグ弾性部材８１ａは、フィット性能の観点から、腹側領域Ａの両側縁部ＡＳ，ＡＳ及び股下領域Ｃの縦方向Ｘの中央部においてホットメルト型接着剤により外装体１０に固定され、縦方向Ｘへの収縮力をより低減させ横方向Ｙに延びる皺が発生するのを防ぐためにレッグ開口部８，８の開口周縁部においては未接着で外装体１０に固定されていない状態となっていることが好ましい。
【００３０】
背側レッグ弾性部材８１ｂについて詳述すると、該背側レッグ弾性部材８１ｂは、おむつ１では、図２に示すおむつ１の展開且つ伸長状態において、背側領域Ｂの一方の側縁部ＢＳでホットメルト型接着剤により外装体１０に固定されている。そして、該一方の側縁部ＢＳから一方のレッグ開口部８の開口周縁部に沿って伸長状態で配され、股下領域Ｃの縦方向Ｘの中央部においてホットメルト型接着剤により外装体１０に固定されている。同様に、背側レッグ弾性部材８１ｂは、背側領域Ｂの他方の側縁部ＢＳでホットメルト型接着剤により外装体１０に接合されている。そして、該他方の側縁部ＢＳから他方のレッグ開口部８の開口周縁部に沿って伸長状態で配され、股下領域Ｃの縦方向Ｘの中央部においてホットメルト型接着剤により外装体１０に固定されている。背側レッグ弾性部材８１ｂは、フィット性能の観点から、背側領域Ｂの両側縁部ＢＳ，ＢＳ及び股下領域Ｃの縦方向Ｘの中央部においてホットメルト型接着剤により外装体１０に固定され、縦方向Ｘへの収縮力をより低減させ横方向Ｙに延びる皺が発生するのを防ぐためにレッグ開口部８，８の開口周縁部においては未接着で外装体１０に固定されていない状態となっていることが好ましい。
【００３１】
また、腹側レッグ弾性部材８１ａと背側レッグ弾性部材８１ｂとは、図２に示すように、上述したように股下領域Ｃの中央部において横中心線Ｙｃよりも腹側領域Ａ側で交差し、互いに重なった状態で横方向Ｙの内方に向かって伸長状態で配されている。
例えば、本実施形態のように腹側レッグ弾性部材８１ａ及び背側レッグ弾性部材８１ｂそれぞれが３本の場合、最も内側に位置する腹側レッグ弾性部材８１ａと最も外側に位置する背側レッグ弾性部材８１ｂとが交差して重なり、最も外側に位置する腹側レッグ弾性部材８１ａと最も内側に位置する背側レッグ弾性部材８１ｂとが交差して重なる。そして、中間に位置する腹側レッグ弾性部材８１ａと背側レッグ弾性部材８１ｂとが交差して重なるように配されている。このようにおむつ１では、股下領域Ｃの中央部において、３本の腹側及び背側レッグ弾性部材８１ａ，８１ｂが縦方向Ｘに間隔を空けて並置された状態で、横方向Ｙの内方に向かって配されている。
そして、腹側レッグ弾性部材８１ａと背側レッグ弾性部材８１ｂとは、それぞれが交差している部分を含んで、該交差している部分から横方向Ｙの内方でホットメルト型接着剤により外装体１０に固定されている。おむつ１では、腹側レッグ弾性部材８１ａと背側レッグ弾性部材８１ｂとは、吸収体４と重なる外装体１０の部分で交差しており、該部分で外装体１０に固定されている。
【００３２】
また、腹側レッグ弾性部材８１ａ及び背側レッグ弾性部材８１ｂの本数としては、フィット性能の観点から、好ましくは１本以上、更に好ましくは２本以上、縦方向Ｘへの収縮力をより低減させ横方向に延びる皺が発生するのを防ぐ観点から好ましくは５本以下、更に好ましくは３本以下であり、好ましくは１本以上５本以下、より好ましくは２本以上３本以下である。
【００３３】
腹側レッグ弾性部材８１ａ及び背側レッグ弾性部材８１ｂが複数本の場合、複数の該腹側レッグ弾性部材８１ａ及び該背側レッグ弾性部材８１ｂは、応力を分散させず吸収体を支えるために、背側領域Ｂの両側縁部ＢＳ，ＢＳ及び腹側領域Ａの両側縁部ＡＳ，ＡＳで外装体１０に固定される際の縦方向Ｘの間隔よりも、縦方向Ｘの中央部で外装体１０に固定される際の縦方向Ｘの間隔の方が狭いことが好ましい。この場合縦方向Ｘの中央部では、複数の該腹側レッグ弾性部材８１ａどうし及び複数の該背側レッグ弾性部材８１ｂどうしの縦方向Ｘの間隔がないことが好ましい。
【００３４】
腹側レッグ弾性部材８１ａ及び背側レッグ弾性部材８１ｂが複数本の場合、複数の該腹側レッグ弾性部材８１ａ及び該背側レッグ弾性部材８１ｂは、背側領域Ｂの両側縁部ＢＳ，ＢＳ及び腹側領域Ａの両側縁部ＡＳ，ＡＳと縦方向Ｘの中央部とのそれぞれで縦方向Ｘの間隔が等しくなるように外装体１０に固定されることが好ましい。
【００３５】
更におむつ１では、股下領域Ｃの中央部において、背側レッグ弾性部材８１ｂと吸収体４の縦方向Ｘに沿う両側縁４６，４６それぞれとのなす角αが、３０度以上９０度以下である。角度αについて詳述すると、股下領域Ｃの中央部において、おむつ１では、図３（ａ）に示すように、背側レッグ弾性部材８１ｂと吸収体４の縦方向Ｘに沿う両側縁４６，４６それぞれとのなす角度αは３０度以上であり、好ましくは５０度以上、より好ましくは６０度以上である。また該角度αは９０度以下である。具体的に該角度αは３０度以上９０度以下であり、好ましくは５０度以上９０度以下、より好ましくは６０度以上９０度以下である。尚、背側レッグ弾性部材８１ｂと吸収体４の縦方向Ｘに沿う両側縁４６，４６それぞれとのなす角度αは、鈍角ではなく鋭角の方の角度を意味する。
【００３６】
背側レッグ弾性部材８１ｂと吸収体４の縦方向Ｘに沿う両側縁４６，４６それぞれとのなす角αは、例えば、背側レッグ弾性部材８１ｂを複数有する場合は、少なくとも１本の背側レッグ弾性部材８１ｂと吸収体４の縦方向Ｘに沿う両側縁４６，４６それぞれとのなす角αが上記範囲内にあればよく、複数の背側レッグ弾性部材８１ｂのそれぞれが全て吸収体４の縦方向Ｘに沿う両側縁４６，４６それぞれとのなす角αが上記範囲内にあることが好ましい。
【００３７】
股下領域Ｃの中央部において、背側レッグ弾性部材８１ｂと吸収体４の縦方向Ｘに沿う両側縁４６，４６それぞれとのなす角αを３０度以上９０度以下とすることで、背側レッグ弾性部材８１ｂによる吸収体４の縦方向Ｘに沿う方向に作用する収縮力が低減され、吸収体４の横方向Ｙに皴が発生することが抑制される。
例えば、背側レッグ弾性部材８１ｂと吸収体４の縦方向Ｘに沿う両側縁４６，４６それぞれとのなす角をαとすると、吸収体４の縦方向Ｘに沿う両側縁４６，４６が背側レッグ弾性部材８１ｂの収縮力により縦方向Ｘに作用する応力はｃｏｓαで表せる。ｃｏｓαの値は、角度αが９０度に近づくほど小さくなるので、背側レッグ弾性部材８１ｂと吸収体４の縦方向Ｘに沿う両側縁４６，４６それぞれとのなす角αを３０度以上９０度以下とすることで、股下領域Ｃに配された吸収体４上に皺を発生し難くすると共に、一対のレッグ開口部８，８における良好なフィット性を維持することができる。
【００３８】
また、おむつ１では、図２に示すおむつの展開且つ伸長状態において、外装体１０の股下領域Ｃは、腹側レッグ弾性部材８１ａと背側レッグ弾性部材８１ｂとが交差している部分どうしの間に、該腹側レッグ弾性部材８１ａ及び該背側レッグ弾性部材８１ｂが収縮力を発現する状態で配されていない部分を有している。
おむつ１では、腹側レッグ弾性部材８１ａ及び背側レッグ弾性部材８１ｂは、股下領域Ｃにおける縦方向Ｘの中央部の吸収性本体５と重なる部分においては、一対の側部非積繊部４４，４４から横方向Ｙの外方では伸長状態で外装体１０に固着されている。そして、腹側レッグ弾性部材８１ａ及び背側レッグ弾性部材８１ｂは、該一対の側部非積繊部４４，４４どうしの間では収縮力が発現する状態では配されていない。
腹側レッグ弾性部材８１ａ及び背側レッグ弾性部材８１ｂの収縮力を発現させないようにするには、例えば、腹側レッグ弾性部材８１ａ及び背側レッグ弾性部材８１ｂを熱により硬化させることもできるが、おむつ１では、腹側レッグ弾性部材８１ａ及び背側レッグ弾性部材８１ｂを個々複数個に分断することで収縮力を発現しないようにしている。即ち、腹側レッグ弾性部材８１ａ及び背側レッグ弾性部材８１ｂは、おむつ１では、一対の側部非積繊部４４，４４どうしの間で分断され、横方向Ｙに分割された状態となっている。
腹側レッグ弾性部材８１ａ及び背側レッグ弾性部材８１ｂを一対の側部非積繊部４４，４４から横方向Ｙの外方では伸長状態で外装体１０に固着させ、一対の側部非積繊部４４，４４どうしの間では収縮力が発現する状態で配さないことで、吸収性コア４０（下部吸収層４１２）の縦方向Ｘに沿った両側部の良好な起立性が得られる。
【００３９】
またおむつ１では、股下領域Ｃの中央部において、腹側レッグ弾性部材８１ａと吸収体４の縦方向Ｘに沿う両側縁４６，４６それぞれとのなす角βが、４０度以上９０度以下である。角度βについて詳述すると、股下領域Ｃの中央部において、おむつ１では、図３（ｂ）に示すように、腹側レッグ弾性部材８１ａと吸収体４の縦方向Ｘに沿う両側縁４６，４６それぞれとのなす角度βは４０度以上であることが好ましく、より好ましくは５０度以上、さらに好ましくは６０度以上である。また該角度βは９０度以下であることが好ましい。具体的に該角度βは４０度以上９０度以下であることが好ましく、より好ましくは５０度以上９０度以下、さらに好ましくは６０度以上９０度以下である。尚、腹側レッグ弾性部材８１ａと吸収体４の縦方向Ｘに沿う両側縁４６，４６それぞれとのなす角度βは、鈍角ではなく鋭角の方の角度を意味する。
【００４０】
腹側レッグ弾性部材８１ａと吸収体４の縦方向Ｘに沿う両側縁４６，４６それぞれとのなす角度βとしては、例えば、腹側レッグ弾性部材８１ａを複数有する場合は、少なくとも１本の腹側レッグ弾性部材８１ａと吸収体４の縦方向Ｘに沿う両側縁４６，４６それぞれとのなす角βが上記範囲内にあればよく、複数の腹側レッグ弾性部材８１ａのそれぞれが全て吸収体４の縦方向Ｘに沿う両側縁４６，４６それぞれとのなす角βが上記範囲内にあることが好ましい。
【００４１】
股下領域Ｃの中央部において、腹側レッグ弾性部材８１ａと吸収体４の縦方向Ｘに沿う両側縁４６，４６それぞれとのなす角βを４０度以上９０度以下とすることで、腹側レッグ弾性部材８１ａによる吸収体４の縦方向Ｘに沿う方向に作用する収縮力が低減され、吸収体４の横方向Ｙに皴が発生することが抑制される。
例えば、腹側レッグ弾性部材８１ａと吸収体４の縦方向Ｘに沿う両側縁４６，４６それぞれとのなす角をβとすると、吸収体４の縦方向Ｘに沿う両側縁４６，４６が腹側レッグ弾性部材８１ａの収縮力により縦方向Ｘに作用する応力はｃｏｓβで表せる。ｃｏｓβの値は、角度βが９０度に近づくほど小さくなるので、腹側レッグ弾性部材８１ａと吸収体４の縦方向Ｘに沿う両側縁４６，４６それぞれとのなす角βを４０度以上９０度以下とすることで、股下領域Ｃに配された吸収体４上に皺を発生し難くすると共に、一対のレッグ開口部８，８における良好なフィット性を維持することができる。
【００４２】
またおむつ１では、腹側レッグ弾性部材８１ａ及び背側レッグ弾性部材８１ｂは、その太さが３１０ｄｔｅｘ以上６２０ｄｔｅｘ以下である。腹側レッグ弾性部材８１ａ及び背側レッグ弾性部材８１ｂは、おむつ１では、その太さが      ｄｔｅｘである。腹側レッグ弾性部材８１ａ及び背側レッグ弾性部材８１ｂの太さとしては、フィット性能の観点から好ましくは３１０ｄｔｅｘ以上、より好ましくは４７０ｄｔｅｘ以上、縦方向Ｘへの収縮力をより低減させ横方向に延びる皺が発生するのを防ぐ観点から好ましくは６２０ｄｔｅｘ以下、好ましくは３１０ｄｔｅｘ以上６２０ｄｔｅｘ以下、より好ましくは４７０ｄｔｅｘ以上６２０ｄｔｅｘ以下である。腹側レッグ弾性部材８１ａ及び背側レッグ弾性部材８１ｂの太さを３１０ｄｔｅｘ以上６２０ｄｔｅｘ以下とすることで、フィット性能と皺低減効果の両立が可能となる。
【００４３】
またおむつ１では、図２に示すおむつ１の展開且つ伸長状態において、腹側レッグ弾性部材８１ａ及び背側レッグ弾性部材８１ｂは、交差している部分から横方向Ｙの内方に、下部吸収層４１２の各側部非積繊部４４と重なる位置まで延出している。腹側レッグ弾性部材８１ａ及び背側レッグ弾性部材８１ｂは、各側部非積繊部４４の横方向Ｙの全域に亘って各側部非積繊部４４と重なる外装体１０の部分に配されることが好ましいが、各側部非積繊部４４の横方向Ｙの一部に重なる外装体１０の部分に配されていればよい。例えば、各側部非積繊部４４の横方向Ｙの長さの半分以上が各側部非積繊部４４と重なる外装体１０の部分に配されていればよい。
腹側レッグ弾性部材８１ａ及び背側レッグ弾性部材８１ｂが股下領域Ｃの中央部において、各側部非積繊部４４と重なる部分まで横方向Ｙに配されることで、一対の側部非積繊部４４，４４を折り曲げ起点として低坪量部４２，４２が起立することで、良好な横漏れ防止性が得られると共にフィット性が向上する。
例えば、腹側レッグ弾性部材８１ａ及び背側レッグ弾性部材８１ｂを複数有する場合は、少なくとも１本の腹側レッグ弾性部材８１ａ又は背側レッグ弾性部材８１ｂと各側部非積繊部４４と重なる外装体１０の部分に配されていればよく、複数の腹側レッグ弾性部材８１ａ及び背側レッグ弾性部材８１ｂのそれぞれが全て各側部非積繊部４４と重なる外装体１０の部分に配されていることが好ましい。
【００４４】
次に、おむつ１の形成材料について説明する。
おむつ１の各部の形成材料としては、従来のパンツ型使い捨ておむつの当該部分に用いられる各種のものを特に制限なく用いることができる。例えば、表面シート２としては、親水性且つ液透過性の不織布、樹脂フィルムに開孔を形成したもの等を用いることができ、裏面シート３としては、透湿性又は非透湿性の樹脂フィルムや該樹脂フィルムと不織布の積層体等を用いることができる。
【００４５】
吸収性コア４０を構成する繊維集合体を構成する繊維としては、例えば、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。繊維集合体は、空気流に載せて供給した繊維材料を、所定形状の凹部内に吸引して堆積させる積繊工程を経て得られるものが好ましい。繊維材料とともに機能性材料を混合積繊したものであっても良い。機能性材料の保持形態は、２枚の繊維集合体間に挟んで保持する形態や、混合積繊して繊維間に保持させた状態等が挙げられる。繊維及び吸水性ポリマー等の機能性材料は、それぞれ、一種又は二種以上を組み合わせて用いることができる。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等からなる粒子等が挙げられる。
【００４６】
防漏カフ形成用シート５６としては、スパンボンド・メルトブローン・スパンボンド等からなる多層構造の複合不織布、スパンボンド不織布、ヒートボンド不織布、エアスルー不織布等を用いることができる。
【００４７】
ウエスト弾性部材７１、胴回り弾性部材９１、腹側レッグ弾性部材８１ａ及び背側レッグ弾性部材８１ｂ等の弾性部材としては、通常、使い捨ておむつ等の吸収性物品に用いられるものであれば、特に制限なく用いることができる。例えば、弾性部材７１，９１，８１ａ，８１ｂの形態としては、糸状のもの（糸ゴム等）、所定幅の帯状のもの（平ゴム等）等が好ましく、特に糸状のものが好ましい。また弾性部材７１，９１，８１ａ，８１ｂの素材としては、天然ゴム、スチレン−ブタジエン、ブタジエン、イソプレン、ネオプレン等の合成ゴム、ＥＶＡ、伸縮性ポリオレフィン、ウレタン等を挙げることができる。弾性部材７１，９１，８１ａ，８１ｂの伸張倍率としては、肌に弾性体跡などのトラブルを起こさないことと、脚周りに隙間を生じさせないことを両立するという観点から、１６０％〜２５０％であることが好ましく、２００％〜２４０％であることがさらに好ましい。ここでいう伸張倍率とは、未伸張時の長さをＡ（ｍｍ）、伸張時の長さをＢ（ｍｍ）とした際、次式から求められる値である。
伸張倍率（％）＝（Ｂ／Ａ）×１００
【００４８】
胴回り弾性部材９１，腹側レッグ弾性部材８１ａ及び背側レッグ弾性部材８１ｂの収縮力を発現しないように個々を分断するためのカットには、各種公知の切断手段を用いることができる。例えばピンチカッター、ロータリーダイカッター、ヒートシールカッター、超音波カッター、ウォータージェットカッター等を用いることができる。
【００４９】
外装体１０を構成する外層シート１１及び内層シート１２としては、通常、使い捨ておむつ等の吸収性物品に用いられるものであれば、特に制限なく用いることができる。例えば、外層シート１１及び内層シート１２としては、撥水性の不織布等を用いることができる。
【００５０】
以上、本発明をその好ましい実施形態に基づき説明したが、本発明は上述の実施形態に限定されない。
【００５１】
例えば、本実施形態では、より一層の横方向Ｙの屈曲性を高める観点から、図２に示すように、おむつ１の吸収性コア４０に中央非積繊部４３及び一対の側部非積繊部４４，４４を設けたが、本発明のパンツ型使い捨ておむつは、吸収性コア４０に一対の側部非積繊部４４，４４を設けるのみでも吸収性コア４０の横方向Ｙの屈曲性を高めることができる。
【００５２】
また、本実施形態では、図１に示すように、腹側領域Ａ、股下領域Ｃ及び背側領域Ｂに亘る外装体１０を有するおむつ１を用いて説明したが、本発明では、外装体が着用者の背側に配される背側シート部材と腹側に配される腹側シート部材とに分割されており、背側シート部材と腹側シート部材とが一対のサイドシール部で接合されて筒状をなしているとともに、吸収性本体が、背側シート部材と腹側シート部材との間に架け渡して固定されている外包材分割タイプのパンツ型使い捨ておむつであっても良い。
【００５３】
また、本実施形態では、図４に示すように、下部吸収層４１２の肌対向面上に上部吸収層４１１が積層された２層構造となる部分を高坪量部４１としたが、本発明では、高坪量部は単層構造の吸収性コアの一部に設けた肉厚部分であっても良い。また本実施形態では、縦方向Ｘに沿って厚さ方向に貫通した連続線状の中央非積繊部及び一対の側部非積繊部を用いたが、本発明では、連続線状のものに代えて、部分的に不連続な部分を有する中央非積繊部及び一対の側部非積繊部を用いても良い。
【符号の説明】
【００５４】
１  パンツ型使い捨ておむつ
４  吸収体
４０  吸収性コア
４１  高坪量部
４２  低坪量部
４１１  上部吸収層
４１２  下部吸収層
４４  側部非積繊部
５  吸収性本体
７  ウエスト開口部
７０ウエストギャザー
８  レッグ開口部
８０  レッグギャザー
８１ａ  腹側レッグ弾性部材
８１ｂ  背側レッグ弾性部材
１０  外装体
Ａ  腹側領域
Ｂ  背側領域
Ｃ  股下領域
ＡＳ  外装体の腹側領域側の両側縁部
ＢＳ  外装体の背側領域側の両側縁部
Ｓ  サイドシール部
Ｙｃ  横中心線
【図１】
2018079058.tif 000003
【図２】
2018079058.tif 000004
【図３】
2018079058.tif 000005
【図４】
2018079058.tif 000006